【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
微細構造アレイを備える創傷閉鎖デバイスであって、前記アレイは、少なくとも１つのブリッジ部分によって接続される複数の微細構造部分を備え、前記複数の微細構造部分のそれぞれは、少なくとも１つのブリッジ部分が創傷に重なるように、前記アレイを組織に固着するための少なくとも１つの微細構造を備え、前記複数の微細構造部分のうちの少なくとも１つは、ばね特性を伴う少なくとも１つの構造を備える、創傷閉鎖デバイス。
【請求項２】
前記微細構造部分のそれぞれは、ばね特性を伴う２、３、４、５、６、７、８、９、１０、１１、１２、１３、１４、１５個の構造のうちの少なくとも１つを備え、かつ／または、
ばね特性を伴う少なくとも１つの構造の拡張性は、少なくとも１つの方向へ約１００．２％〜約１０５．０％に及ぶ、請求項１に記載の創傷閉鎖デバイス。
【請求項３】
ばね特性を伴う少なくとも１つの構造は、合同なＶ字形、合同なＵ字形、合同なＳ字形、合同なＩ字形、合同なＨ字形、合同なＣ字形、合同なＸ字形、合同なＹ字形、合同なＭ字形、合同なＮ字形、合同なＴ字形、合同なＷ字形、および合同なＺ字形のうちの少なくとも１つを備える近似形状を有する、請求項１または２に記載の創傷閉鎖デバイス。
【請求項４】
ばね特性を伴う少なくとも１つの構造は、第１のアーム部分と、第２のアーム部分と、前記第１のアーム部分および前記第２のアーム部分を接続する曲線状部分であって、力が前記第２のアームから離れるように前記第１のアームを移動させるときに、前記第１のアームが前記第２のアームに対して回転するように、回転軸として動作するための曲線状部分とを備える、請求項１または２に記載の創傷閉鎖デバイス。
【請求項５】
ばね特性を伴う少なくとも１つの構造の拡張性は、（ｉ）ばね特性を伴う少なくとも１つの構造の幾何学形状、および／または（ｉｉ）ばね特性を伴う少なくとも１つの構造の材料性質のうちの少なくとも１つに実質的に由来し、随意に、ばね特性を伴う少なくとも１つの構造の前記材料性質は、弾性である、請求項１〜４のいずれかに記載の創傷閉鎖デバイス。
【請求項６】
ばね特性を伴う少なくとも１つの構造のばね定数は、約０．５Ｎ／ｍｍ〜約１０Ｎ／ｍｍに及び、かつ／または、前記デバイスのばね定数は、約０．５Ｎ／ｍｍ〜約１０Ｎ／ｍｍに及ぶ、請求項１〜５のいずれか１項に記載の創傷閉鎖デバイス。
【請求項７】
前記複数の微細構造部分は、弾性を備え、前記少なくとも１つのブリッジ部分は、実質的に非弾性である、請求項１〜６のいずれかに記載の創傷閉鎖デバイス。
【請求項８】
前記複数の微細構造部分のうちの１つの微細構造部分の上の微細構造の数は、２、３、４、５、６、７、８、９、１０、１１、１２、１３、１４、および１５個の微細構造のうちの少なくとも１つである、請求項１〜７のいずれかに記載の創傷閉鎖デバイス。
【請求項９】
張力インジケータを備え、随意に、前記張力インジケータは、前記デバイスが適切に適用されるときを示す、請求項１〜８のいずれかに記載の創傷閉鎖デバイス。
【請求項１０】
前記微細構造アレイは、支持基部を備え、随意に、
（ｉ）少なくとも１つの微細構造は、（ｉ）前記支持基部と一体的に形成されること、および（ｉｉ）少なくとも１つの微細構造が前記支持基部から突出するように、前記支持基部に接続されることのうちの少なくとも１つであり、
（ｉｉ）前記複数の微細構造部分のうちの少なくとも１つの微細構造部分は、（ｉ）前記支持基部と一体的に形成されること、および（ｉｉ）前記支持基部に接続されることのうちの少なくとも１つであり、
（ｉｉｉ）ばね特性を伴う少なくとも１つの構造は、（ｉ）前記支持基部と一体的に形成されること、および（ｉｉ）前記支持基部に接続されることのうちの少なくとも１つであり、
（ｉｖ）少なくとも１つのブリッジ部分は、（ａ）前記支持基部と一体的に形成されること、および（ｂ）前記支持基部に接続されることのうちの少なくとも１つである、請求項１〜９にいずれかに記載の創傷閉鎖デバイス。
【請求項１１】
少なくとも１つの微細構造は、少なくとも１つの微細構造が、前記デバイスの適用に応じて、前記創傷に向かって角度を成すように、少なくとも１つのブリッジ部分に向かって角度を成す、または、前記微細構造は、交互配列で前記複数の微細構造部分の上に位置付けられる、請求項１〜１０のいずれかに記載の創傷閉鎖デバイス。
【請求項１２】
少なくとも１つの微細構造は、マイクロステープル、マイクロバーブ、マイクロニードル、マイクロブレード、マイクロアンカ、マイクロフック、マイクロフィッシュスケール、マイクロピラー、およびマイクロヘアのうちの少なくとも１つである、請求項１〜１１のいずれかに記載の創傷閉鎖デバイス。
【請求項１３】
（ｉ）所与の微細構造部分上の各微細構造をその最近傍微細構造から分離する先端から先端までの距離は、約０．５ｍｍ〜約１５ｍｍに及ぶ
（ｉｉ）所与の微細構造部分内の各微細構造をその最近傍微細構造から分離する基部から先端までの距離は、約０．５ｍｍ〜約１５ｍｍに及ぶ
（ｉｉｉ）少なくとも１つの微細構造は、約０．１ｍｍ〜約８ｍｍの高さＨ１を有する
（ｉｖ）前記高さまたは垂直変位Ｈ１は、約０．５ｍｍ〜約２ｍｍである
（ｖ）前記微細構造の前記高さまたは垂直変位Ｈ１は、約１．０５ｍｍである
（ｖｉ）前記少なくとも１つの微細構造は、約１．５ｍｍまたは約３ｍｍの高さまたは垂直変位Ｈ１を有する
のうちの少なくとも１つである、請求項１〜１２のいずれかに記載の創傷閉鎖デバイス。
【請求項１４】
前記アレイ上の前記微細構造の密度は、特定のタイプの創傷、特定のタイプの組織、創傷閉鎖時間の周期、治癒時間の周期、前記デバイスと関連付けられる炎症の程度、前記創傷と関連付けられる炎症後色素沈着過剰の程度、創傷外転の程度、前記創傷と関連付けられる瘢痕化の程度、および前記微細構造アレイと関連付けられる炎症後色素沈着過剰の程度のうちの少なくとも１つのために選択される、請求項１〜１３のいずれかに記載の創傷閉鎖デバイス。
【請求項１５】
バッキングであって、随意に、請求項１０に従属するとき、前記支持基部は、前記バッキングに添着される、バッキングと、
１つのブリッジ部分と、前記ブリッジ部分の中の２つの縦方向に延在する部分と
を備える、請求項１〜１４のいずれかに記載の創傷閉鎖デバイス。
【手続補正２】
【補正対象書類名】明細書
【補正対象項目名】００６６
【補正方法】変更
【補正の内容】
【００６６】
他のシステム、プロセス、および特徴が、以下の図面ならびに発明を実施するための形態の吟味に応じて、当業者に明白となるであろう。全てのそのような付加的システム、プロセス、および特徴は、本説明内に含まれ、本発明の範囲内であり、付随の請求項によって保護されることが意図される。
本発明は、例えば、以下を提供する。
（項目１）
微細構造アレイを備える創傷閉鎖デバイスであって、前記アレイは、少なくとも１つのブリッジ部分によって接続される複数の微細構造部分を備え、前記複数の微細構造部分のそれぞれは、少なくとも１つのブリッジ部分が創傷に重なるように、前記アレイを組織に固着するための少なくとも１つの微細構造を備え、前記複数の微細構造部分のうちの少なくとも１つは、ばね特性を伴う少なくとも１つの構造を備える、創傷閉鎖デバイス。
（項目２）
微細構造アレイを備える創傷閉鎖デバイスであって、前記アレイは、少なくとも１つの微細構造部分を備え、前記少なくとも１つの微細構造部分のそれぞれは、前記アレイを組織に固着するための少なくとも１つの微細構造を備え、前記少なくとも１つの微細構造部分のうちの少なくとも１つは、ばね特性を伴う少なくとも１つの構造を備える、創傷閉鎖デバイス。
（項目３）
前記微細構造部分のそれぞれは、ばね特性を伴う少なくとも１つの構造を備える、項目１または２に記載の創傷閉鎖デバイス。
（項目４）
前記微細構造部分のそれぞれは、ばね特性を伴う２、３、４、５、６、７、８、９、１０、１１、１２、１３、１４、１５個の構造のうちの少なくとも１つを備える、項目１または２に記載の創傷閉鎖デバイス。
（項目５）
ばね特性を伴う少なくとも１つの構造の拡張性は、少なくとも１つの方向へ約１００．２％〜約１０５．０％に及ぶ、項目１または２に記載の創傷閉鎖デバイス。
（項目６）
ばね特性を伴う少なくとも１つの構造は、合同なＶ字形、合同なＵ字形、合同なＳ字形、合同なＩ字形、合同なＨ字形、合同なＣ字形、合同なＸ字形、合同なＹ字形、合同なＭ字形、合同なＮ字形、合同なＴ字形、合同なＷ字形、および合同なＺ字形のうちの少なくとも１つを備える近似形状を有する、項目１または２に記載の創傷閉鎖デバイス。
（項目７）
ばね特性を伴う少なくとも１つの構造の前記近似形状は、複数の合同なＵ字形を備える、項目６に記載の創傷閉鎖デバイス。
（項目８）
前記複数の合同なＵ字形は、蛇行形状に配向される、項目７に記載の創傷閉鎖デバイス。
（項目９）
ばね特性を伴う少なくとも１つの構造は、第１のアーム部分と、第２のアーム部分と、前記第１のアーム部分および前記第２のアーム部分を接続する曲線状部分であって、力が前記第２のアームから離れるように前記第１のアームを移動させるときに、前記第１のアームが前記第２のアームに対して回転するように、回転軸として動作するための曲線状部分とを備える、項目１または２に記載の創傷閉鎖デバイス。
（項目１０）
ばね特性を伴う少なくとも１つの構造の拡張性は、（ｉ）ばね特性を伴う少なくとも１つの構造の幾何学形状、および／または（ｉｉ）ばね特性を伴う少なくとも１つの構造の材料性質のうちの少なくとも１つに実質的に由来する、項目１または２に記載の創傷閉鎖デバイス。
（項目１１）
ばね特性を伴う少なくとも１つの構造の前記材料性質は、弾性である、項目１０に記載の創傷閉鎖デバイス。
（項目１２）
前記拡張可能部分の前記幾何学形状は、前記合同な形状の単数、複数、組み合わせ、および／または鏡像で部分的にまたは完全に構成される、項目６に記載の創傷閉鎖デバイス。
（項目１３）
ばね特性を伴う少なくとも１つの構造のばね定数は、約０．５Ｎ／ｍｍ〜約１０Ｎ／ｍｍに及ぶ、項目１−１２のいずれか１項に記載の創傷閉鎖デバイス。
（項目１４）
前記デバイスのばね定数は、約０．５Ｎ／ｍｍ〜約１０Ｎ／ｍｍに及ぶ、項目１−１２のいずれか１項に記載の創傷閉鎖デバイス。
（項目１５）
ばね特性を伴う少なくとも１つの構造のばね定数は、特定のタイプの創傷、特定のタイプの組織、創傷閉鎖時間の周期、治癒時間の周期、前記デバイスと関連付けられる炎症の程度、前記創傷と関連付けられる炎症の程度、創傷外転の程度、前記創傷と関連付けられる瘢痕化の程度、および前記微細構造アレイと関連付けられる炎症後色素沈着過剰の程度のうちの少なくとも１つのために選択される、項目１または２に記載の創傷閉鎖デバイス。
（項目１６）
前記複数の微細構造部分のそれぞれは、前記アレイを前記組織に固着するための複数の微細構造を備える、項目１または２に記載の創傷閉鎖デバイス。
（項目１７）
前記複数の微細構造部分のうちの第１の部分の上の微細構造の数は、前記複数の微細構造部分のうちの第２の部分の上の微細構造の数と等しい、項目１６に記載の創傷閉鎖デバイス。
（項目１８）
前記複数の微細構造部分のうちの第１の部分の上の微細構造の数は、前記複数の微細構造部分のうちの第２の部分の上の微細構造の数と異なる、項目１６に記載の創傷閉鎖デバイス。
（項目１９）
前記複数の微細構造部分のうちの１つの微細構造部分の上の微細構造の数は、２、３、４、５、６、７、８、９、１０、１１、１２、１３、１４、および１５個の微細構造のうちの少なくとも１つである、項目１６に記載の創傷閉鎖デバイス。
（項目２０）
前記微細構造アレイは、支持基部を備える、項目１または２に記載の創傷閉鎖デバイス。
（項目２１）
少なくとも１つの微細構造は、（ｉ）前記支持基部と一体的に形成されること、および（ｉｉ）少なくとも１つの微細構造が前記支持基部から突出するように、前記支持基部に接続されることのうちの少なくとも１つである、項目２０に記載の創傷閉鎖デバイス。
（項目２２）
前記複数の微細構造部分のうちの少なくとも１つの微細構造部分は、（ｉ）前記支持基部と一体的に形成されること、および（ｉｉ）前記支持基部に接続されることのうちの少なくとも１つである、項目２０に記載の創傷閉鎖デバイス。
（項目２３）
ばね特性を伴う少なくとも１つの構造は、（ｉ）前記支持基部と一体的に形成されること、および（ｉｉ）前記支持基部に接続されることのうちの少なくとも１つである、項目２０に記載の創傷閉鎖デバイス。
（項目２４）
少なくとも１つのブリッジ部分は、（ｉ）前記支持基部と一体的に形成されること、および（ｉｉ）前記支持基部に接続されることのうちの少なくとも１つである、項目１に記載の創傷閉鎖デバイス。
（項目２５）
前記微細構造アレイは、ポリマー、金属、生体材料、生分解性材料、および非生分解性材料のうちの少なくとも１つを備える、項目１または２に記載の創傷閉鎖デバイス。
（項目２６）
微細構造アレイは、アルミニウム、チタン、ステンレス鋼のうちの少なくとも１つを備える、項目２５に記載の創傷閉鎖デバイス。
（項目２７）
前記微細構造アレイは、３００系ステンレス鋼合金を備え、前記３００系ステンレス鋼合金は、随意に、３１６ステンレス鋼である、項目２５に記載の創傷閉鎖デバイス。
（項目２８）
前記微細構造アレイは、１つの開口または少なくとも１つの開口を画定する、項目１または２に記載の創傷閉鎖デバイス。
（項目２９）
少なくとも１つの微細構造は、前記微細構造アレイに対する角度で延在する、項目１または２に記載の創傷閉鎖デバイス。
（項目３０）
前記角度は、約１０度〜約９０度である、項目２９に記載の創傷閉鎖デバイス。
（項目３１）
前記角度は、約４５度である、項目３０に記載の創傷閉鎖デバイス。
（項目３２）
少なくとも１つの微細構造は、少なくとも１つの微細構造が、前記デバイスの適用に応じて、前記創傷に向かって角度を成すように、少なくとも１つのブリッジ部分に向かって角度を成す、項目１に記載の創傷閉鎖デバイス。
（項目３３）
少なくとも１つの微細構造は、マイクロステープル、マイクロバーブ、マイクロニードル、マイクロブレード、マイクロアンカ、マイクロフック、マイクロフィッシュスケール、マイクロピラー、およびマイクロヘアのうちの少なくとも１つである、項目１または２に記載の創傷閉鎖デバイス。
（項目３４）
少なくとも１つの微細構造は、台形の外形を有する、項目３３に記載の創傷閉鎖デバイス。
（項目３５）
少なくとも１つの微細構造は、約２００μｍ未満の幅を伴う先端を有する、項目３３に記載の創傷閉鎖デバイス。
（項目３６）
前記微細構造アレイは、約２個の微細構造〜約５０個の微細構造を備える、項目１または２に記載の創傷閉鎖デバイス。
（項目３７）
前記微細構造は、交互配列で前記複数の微細構造部分の上に位置付けられる、項目１または２に記載の創傷閉鎖デバイス。
（項目３８）
所与の微細構造部分上の各微細構造をその最近傍微細構造から分離する先端から先端までの距離は、約０．５ｍｍ〜約１５ｍｍに及ぶ、項目１または２に記載の創傷閉鎖デバイス。
（項目３９）
所与の微細構造部分内の各微細構造をその最近傍微細構造から分離する基部から先端までの距離は、約０．５ｍｍ〜約１５ｍｍに及ぶ、項目１または２に記載の創傷閉鎖デバイス。
（項目４０）
前記アレイ上の前記微細構造の密度は、特定のタイプの創傷、特定のタイプの組織、創傷閉鎖時間の周期、治癒時間の周期、前記デバイスと関連付けられる炎症の程度、前記創傷と関連付けられる炎症後色素沈着過剰の程度、創傷外転の程度、前記創傷と関連付けられる瘢痕化の程度、および前記微細構造アレイと関連付けられる炎症後色素沈着過剰の程度のうちの少なくとも１つのために選択される、項目１または２に記載の創傷閉鎖デバイス。
（項目４１）
少なくとも１つの微細構造は、約０．１ｍｍ〜約８ｍｍの高さＨ１を有する、項目１または２に記載の創傷閉鎖デバイス。
（項目４２）
前記高さまたは垂直変位Ｈ１は、約０．５ｍｍ〜約２ｍｍである、項目４１に記載の創傷閉鎖デバイス。
（項目４３）
前記微細構造の前記高さまたは垂直変位Ｈ１は、約１．０５ｍｍである、項目４１に記載の創傷閉鎖デバイス。
（項目４４）
前記少なくとも１つの微細構造は、約１．５ｍｍ〜約３ｍｍの高さまたは垂直変位Ｈ１を有する、項目４１に記載の創傷閉鎖デバイス。
（項目４５）
前記少なくとも１つの微細構造の基部から先端までの長さ、基部幅、および先端幅のうちの少なくとも１つは、前記デバイスの適用と関連付けられる痛みの程度のために選択される、項目１に記載の創傷閉鎖デバイス。
（項目４６）
前記デバイスの少なくとも一部は、弾性を備える、項目１に記載の創傷閉鎖デバイス。
（項目４７）
前記複数の微細構造部分は、弾性を備え、前記少なくとも１つのブリッジ部分は、実質的に非弾性である、項目４６に記載の創傷閉鎖デバイス。
（項目４８）
少なくとも１つのブリッジ部分は、弾性を備える、項目４６に記載の創傷閉鎖デバイス。
（項目４９）
少なくとも１つのブリッジ部分は、実質的に非弾性である、項目４６に記載の創傷閉鎖デバイス。
（項目５０）
前記ブリッジ部分は、少なくとも１つの縦方向に延在する部分を備える、項目１に記載の創傷閉鎖デバイス。
（項目５１）
複数の縦方向に延在する部分を備える、項目５０に記載の創傷閉鎖デバイス。
（項目５２）
１つのブリッジ部分と、前記ブリッジ部分の中の２つの縦方向に延在する部分とを備える、項目５０に記載の創傷閉鎖デバイス。
（項目５３）
前記少なくとも１つのブリッジ部分は、約０．５ｍｍ〜約１００ｍｍである幅を有する、項目１に記載の創傷閉鎖デバイス。
（項目５４）
前記幅は、約１ｍｍ〜約５０ｍｍである、項目５３に記載の創傷閉鎖デバイス。
（項目５５）
前記ブリッジ部分は、約３ｍｍ〜約２０ｍｍである幅を有する、項目５２に記載の創傷閉鎖デバイス。
（項目５６）
前記少なくとも１つのブリッジ部分は、約１ｍｍ〜約５０ｍｍである長さを有する、項目１に記載の創傷閉鎖デバイス。
（項目５７）
前記長さは、約３ｍｍ〜約３０ｍｍである、項目５６に記載の創傷閉鎖デバイス。
（項目５８）
前記ブリッジ部分は、約５ｍｍ〜約２５ｍｍである長さを有する、項目５５に記載の創傷閉鎖デバイス。
（項目５９）
バッキングを備える、項目１に記載の創傷閉鎖デバイス。
（項目６０）
前記微細構造アレイは、前記バッキングに添着される支持基部を備える、項目５９に記載の創傷閉鎖デバイス。
（項目６１）
前記支持基部は、接着剤を介して前記バッキングに添着される、項目６０に記載の創傷閉鎖デバイス。
（項目６２）
前記接着剤は、医療グレード接着剤である、項目６１に記載の創傷閉鎖デバイス。
（項目６３）
前記接着剤は、高い剪断強度、高い粘着度、高い剥離強度、および長期摩耗のうちの少なくとも１つのために選択される、項目６１に記載の創傷閉鎖デバイス。
（項目６４）
前記接着剤は、高い剪断強度のために選択される、項目６１−６３のいずれか１項に記載の創傷閉鎖デバイス。
（項目６５）
前記バッキングは、通気性、伸縮性、可撓性、および弾性のうちの少なくとも１つである、項目５９に記載の創傷閉鎖デバイス。
（項目６６）
前記バッキングは、透過性、半透過性、および不透過性のうちの少なくとも１つである、項目５９に記載の創傷閉鎖デバイス。
（項目６７）
前記バッキングは、透明および不透明のうちの少なくとも１つである、項目５９に記載の創傷閉鎖デバイス。
（項目６８）
前記バッキングは、医療テープ、白色布テープ、外科用テープ、黄褐色布医療テープ、シルク外科用テープ、透明テープ、低刺激性テープ、シリコーン、弾性シリコーン、ポリウレタン、弾性ポリウレタン、ポリエチレン、弾性ポリエチレン、ゴム、ラテックス、Ｇｏｒｅ−Ｔｅｘ、プラスチック、プラスチック成分、ポリマー、バイオポリマー、織物材料、不織材料、および天然材料のうちの少なくとも１つを備える、項目５９に記載の創傷閉鎖デバイス。
（項目６９）
前記バッキングは、ポリウレタンベースのフィルムを備える、項目５９に記載の創傷閉鎖デバイス。
（項目７０）
前記バッキングは、円形、卵形、楕円形、正方形、長方形、三角形、菱形、バタフライ、および砂時計のうちの少なくとも１つを備える形状を有する、項目５９に記載の創傷閉鎖デバイス。
（項目７１）
前記バッキングの少なくとも１つの縁は、意図していない層間剥離を低減させるように丸みを帯びている、項目５９に記載の創傷閉鎖デバイス。
（項目７２）
前記バッキングは、バッキング材料の少なくとも１つの層を備える、項目５９に記載の創傷閉鎖デバイス。
（項目７３）
前記バッキングは、バッキング材料の少なくとも２つの層を備える、項目５９に記載の創傷閉鎖デバイス。
（項目７４）
前記バッキングの少なくとも２つの層は、同一のバッキング材料である、項目７３に記載の創傷閉鎖デバイス。
（項目７５）
前記バッキングに取り付けられたタブを備え、前記タブは、随意に、その包装から前記デバイスを除去するステップおよび前記デバイスを前記組織に適用するステップのうちの少なくとも１つを改良するように構成される、項目５９に記載の創傷閉鎖デバイス。
（項目７６）
前記微細構造アレイは、接着剤を介して前記バッキングに添着される支持基部を備え、タブは、前記デバイスの端部のうちの少なくとも１つに位置付けられ、随意に、前記接着剤と部分接触している、項目７５に記載の創傷閉鎖デバイス。
（項目７７）
前記タブは、前記デバイスと少なくとも同じくらい幅が広い寸法を有する、項目７５に記載の創傷閉鎖デバイス。
（項目７８）
前記タブは、約１００μｍの厚さを有する、項目７５に記載の創傷閉鎖デバイス。
（項目７９）
前記タブは、金属、プラスチック、および発泡体のうちの少なくとも１つを備える、項目７５に記載の創傷閉鎖デバイス。
（項目８０）
張力インジケータを備える、項目１に記載の創傷閉鎖デバイス。
（項目８１）
前記張力インジケータは、前記デバイスが適切に適用されるときを示す、項目８０に記載の創傷閉鎖デバイス。
（項目８２）
基部幅および先端幅を伴う少なくとも１つの微細構造を備え、前記基部幅は、前記先端幅よりも大きい、項目１に記載の創傷閉鎖デバイス。
（項目８３）
前記組織は、皮膚である、前記項目のいずれか１項に記載の創傷閉鎖デバイス。
（項目８４）
微細構造アレイを備える少なくとも１つの創傷閉鎖デバイスであって、前記アレイは、少なくとも１つのブリッジ部分によって接続される複数の微細構造部分を備え、前記複数の微細構造部分のそれぞれは、前記少なくとも１つのブリッジ部分が創傷に重なるように、前記アレイを組織に固着するための少なくとも１つの微細構造を備え、前記複数の微細構造部分のうちの少なくとも１つは、前記組織の動きとともに拡張するためのばね特性を伴う少なくとも１つの構造を備える、創傷閉鎖デバイスと、少なくとも１つの創傷閉鎖デバイスを保護するための少なくとも１つの熱成形されたスペーサとを備える、パッケージ。
（項目８５）
創傷閉鎖デバイスであって、前記創傷閉鎖デバイスは、
ａ．微細構造アレイであって、前記アレイは、実質的に非弾性であるブリッジ部分を介して第２の微細構造部分に接続される第１の微細構造部分を備え、
ｉ．前記ブリッジ部分は、２つの縦方向に延在する部分を備え、そのそれぞれは、前記第１の微細構造部分および前記第２の微細構造部分に接続され、
ｉｉ．前記第１の微細構造部分および前記第２の微細構造部分のそれぞれは、（ａ）ばね特性を伴う少なくとも１つの構造と、（ｂ）前記アレイを組織に固着するための少なくとも１つの微細構造とを備える、
アレイと、
ｂ．接着剤を介して前記微細構造アレイに添着されるバッキングと、
を備える、創傷閉鎖デバイス。
（項目８６）
前記微細構造アレイは、モノリシックに生産される、項目８５に記載の創傷閉鎖デバイス。
（項目８７）
前記微細構造アレイは、３１６ステンレス鋼を備える、またはそれから成る、項目８６に記載の創傷閉鎖デバイス。
（項目８８）
ポリウレタンバッキングを備える、項目８５に記載の創傷閉鎖デバイス。
（項目８９）
微細構造アレイブリッジ部分であって、
ａ．１つまたはそれを上回る縦方向に延在する部分であって、（ｉ）微細構造アレイのうちの２つまたはそれを上回るものに対して取り付けられるかまたは一体的に接続される、または、（ｉｉ）単一の微細構造アレイ上に備えられる２つまたはそれを上回る微細構造アレイ部分に対して取り付けられるかまたは一体的に接続される、１つまたはそれを上回る縦方向に延在する部分
を備える、微細構造アレイブリッジ部分。
（項目９０）
前記ブリッジ部分が実質的に非弾性であることを特徴とする、項目８９に記載の微細構造アレイブリッジ部分。
（項目９１）
２つの縦方向に延在する部分を備える、項目８９または９０に記載の微細構造アレイブリッジ部分。
（項目９２）
２つを上回る縦方向に延在する部分を備える、項目８９−９１のいずれか１項に記載の微細構造アレイブリッジ部分。
（項目９３）
２つの微細構造アレイ部分を備える、項目８９−９２のいずれか１項に記載の微細構造アレイブリッジ部分。
（項目９４）
前記ブリッジ部分に一体的に接続される２つの微細構造アレイ部分を備える、項目８９−９３のいずれか１項に記載の微細構造アレイブリッジ部分。
（項目９５）
前記微細構造アレイ部分のうちの１つまたはそれを上回るものは、ばね特性を伴う少なくとも１つの構造を備える、項目８９−９３のいずれか１項に記載の微細構造アレイブリッジ部分。
（項目９６）
前記微細構造アレイ部分のそれぞれは、ばね特性を伴う少なくとも１つの構造を備える、項目９４に記載の微細構造アレイブリッジ部分。
（項目９７）
前記微細構造アレイ部分のそれぞれは、少なくとも２つの微細構造を備える、項目８９−６のいずれか１項に記載の微細構造アレイブリッジ部分。
（項目９８）
前記微細構造アレイ部分のそれぞれは、６個または８個の微細構造を備える、項目９７に記載の微細構造アレイブリッジ部分。
（項目９９）
前記ブリッジ部分に取り付けられたバッキングをさらに備える、項目８９−９８のいずれか１項に記載の微細構造アレイブリッジ部分。
（項目１００）
前記バッキングはまた、前記微細構造アレイ部分に取り付けられる、項目９９に記載の微細構造アレイブリッジ部分。
（項目１０１）
少なくとも１つの微細構造を備える１つまたはそれを上回る微細構造部分を備える微細構造アレイであって、前記１つまたはそれを上回る微細構造部分のうちの少なくとも１つは、ばね特性を伴う少なくとも１つの構造を備える、微細構造アレイ。
（項目１０２）
２つまたは少なくとも２つの微細構造部分を備える、項目１０１に記載の微細構造アレイ。
（項目１０３）
前記微細構造アレイ上に備えられる前記微細構造部分のそれぞれは、ばね特性を伴う２、３、４、５、６、７、８、９、１０、１１、１２、１３、１４、１５個またはそれを上回る構造のうちの少なくとも１つを備える、項目１０１または項目１０２に記載の微細構造アレイ。
（項目１０４）
ばね特性を伴う少なくとも１つの構造の拡張性は、少なくとも１つの方向へ約１００．２％〜約１０５．０％に及ぶ、項目１０１−１０３のいずれか１項に記載の微細構造アレイ。
（項目１０５）
ばね特性を伴う少なくとも１つの構造は、合同なＶ字形、合同なＵ字形、合同なＳ字形、合同なＩ字形、合同なＨ字形、合同なＣ字形、合同なＸ字形、合同なＹ字形、合同なＭ字形、合同なＮ字形、合同なＴ字形、合同なＷ字形、および合同なＺ字形のうちの少なくとも１つを備える近似形状を有する、項目１０１−１０４のいずれか１項に記載の微細構造アレイ。
（項目１０６）
ばね特性を伴う少なくとも１つの構造の前記近似形状は、複数の合同なＵ字形を備える、項目１０５に記載の微細構造アレイ。
（項目１０７）
前記複数の合同なＵ字形は、蛇行形状に配向される、項目１０６のいずれか１項に記載の微細構造アレイ。
（項目１０８）
ばね特性を伴う少なくとも１つの構造は、第１のアーム部分と、第２のアーム部分と、前記第１のアーム部分および前記第２のアーム部分を接続する曲線状部分であって、力が前記第２のアームから離れるように前記第１のアームを移動させるときに、前記第１のアームが前記第２のアームに対して回転するように、回転軸として動作するための曲線状部分とを備える、項目１０１−１０７のいずれか１項に記載の微細構造アレイ。
（項目１０９）
ばね特性を伴う少なくとも１つの構造の拡張性は、（ｉ）ばね特性を伴う少なくとも１つの構造の幾何学形状、および／または（ｉｉ）ばね特性を伴う少なくとも１つの構造の材料性質のうちの少なくとも１つに実質的に由来する、項目１０１−１０８のいずれか１項に記載の微細構造アレイ。
（項目１１０）
ばね特性を伴う少なくとも１つの構造の前記材料性質は、弾性である、項目１０１−１０９のいずれか１項に記載の微細構造アレイ。
（項目１１１）
前記拡張可能部分の前記幾何学形状は、前記合同な形状の単数、複数、組み合わせ、および／または鏡像で部分的にまたは完全に構成される、項目１０１−１１０のいずれか１項に記載の微細構造アレイ。
（項目１１２）
ばね特性を伴う少なくとも１つの構造のばね定数は、約０．５Ｎ／ｍｍ〜約１０Ｎ／ｍｍに及ぶ、項目１０１−１１１のいずれか１項に記載の微細構造アレイ。
（項目１１３）
前記デバイスのばね定数は、約０．５Ｎ／ｍｍ〜約１０Ｎ／ｍｍに及ぶ、項目１０１−１１２のいずれか１項に記載の微細構造アレイ。
（項目１１４）
ブリッジ部分を介してともに接続されるかまたは一体的に接続される、２つまたはそれを上回るアレイ部分を備える、項目１０１−１１３のいずれか１項に記載の微細構造アレイ。
（項目１１５）
前記ブリッジ部分は、２つまたは少なくとも２つの微細構造部分を備える、項目１０１−１１４のいずれか１項に記載の微細構造アレイ。
（項目１１６）
バッキングをさらに備える、項目１０１−１１５のいずれか１項に記載の微細構造アレイ。
（項目１１７）
前記微細構造アレイブリッジ部分は、創傷閉鎖デバイス上に備えられる、項目８９−１００のいずれか１項に記載の微細構造アレイブリッジ部分。
（項目１１８）
前記創傷閉鎖デバイスは、本明細書に開示される前記創傷閉鎖デバイスのうちのいずれか１つである、項目１１７に記載の微細構造アレイブリッジ部分。
（項目１１９）
前記微細構造アレイは、創傷閉鎖デバイス上に備えられる、項目１０１−１１６のいずれか１項に記載の微細構造アレイ。
（項目１２０）
前記創傷閉鎖デバイスは、本明細書に開示される前記創傷閉鎖デバイスのうちのいずれか１つである、項目１１９に記載の微細構造アレイ。
（項目１２１）
項目１−８３および８５−８８のいずれか１項に記載の創傷閉鎖デバイスを用いて創傷を治療する方法であって、前記方法は、前記デバイスの第１の端部を、前記創傷の一方の側面に直接隣接する組織に添着するステップと、随意に、前記創傷にわたって前記デバイスを伸張するステップと、次いで、前記デバイスの第２の端部を、前記創傷の他方の側面に直接隣接する組織に添着するステップとを含む、方法。
（項目１２２）
前記創傷は、前記デバイスの適用によって閉鎖される、項目１２１に記載の方法。
（項目１２３）
前記閉鎖された創傷は、前記デバイスの作用に起因して外転される、項目１２２に記載の方法。
（項目１２４）
前記添着するステップは、前記デバイスが添着されるように意図されている前記組織と接触して配向されている前記微細構造の先端を伴って、所望の位置で前記デバイスを設置するステップと、前記組織の中への前記微細構造の挿入を誘発するよう、前記微細構造の直接背後で前記基部またはバッキングを押し下げることによって、前記微細構造アレイの後部に圧力を印加するステップとによって実行される、項目１２３に記載の方法。
（項目１２５）
前記添着するステップは、ロールオンハンドヘルドディスペンサを使用して実行される、項目１２３に記載の方法。
（項目１２６）
前記デバイスの適用後にカバーで前記デバイスを被覆するステップをさらに含む、項目１２１−１２５のいずれか１項に記載の方法。